(57)【要約】【課題】  前後のディスプレイ装置で同じ表示を行なっている場合であっても、前席や後席からの異なる操作への対応を可能とすること。【解決手段】  表示装置と一体になったタッチスイッチの操作有効範囲を前席用表示装置７と後席用表示装置１０とで別々に設定することにより、前席の乗員からの操作と後席の乗員からの操作を区別する。よって、前席用表示装置７と後席用表示装置１０とで同一の表示を行なっている場合であっても、有効範囲を別々に設けてあるため、前席と後席の異なる操作に対応することが可能となる。【選択図】        図１
2005186644.tif 000002
【特許請求の範囲】
【請求項１】
異なる場所に設置される第一の表示装置と第二の表示装置を備え、前記第一の表示装置と前記第二の表示装置の夫々に表示の制御操作を可能とする操作手段を有する表示システムであって、
前記第一の表示装置に備えられた前記操作手段の内、操作による機能の実行が可能な第一の有効操作手段及び前記第二の表示装置に備えられた前記操作手段の内、操作による機能の実行が可能な第二の有効操作手段を設定する設定手段と、
前記操作手段による操作が行われた際に第一の有効操作手段若しくは第二の有効操作手段からの操作であったか否かを判定する有効判定手段と、
前記有効判定手段により、前記第一の有効操作手段若しくは第二の有効操作手段からの操作であったと判定した場合に、当該操作に対応する機能を実行する制御手段と
を具備することを特徴とする表示システム。
【請求項２】
前記操作手段は表示装置の画面上に備られることを特徴とする請求項１に記載の表示システム。
【請求項３】
前記設定手段は前記操作手段により実行される機能の種類に応じて前記第一の有効操作手段及び第二の有効操作手段を設定することを特徴とする請求項１又は２に記載の表示システム。
【請求項４】
前記設定手段は前記表示装置の画面を分割し、一方の画面範囲に存在する前記操作手段を前記第一の有効操作手段、他方の画面範囲に存在する前記操作手段を前記第二の有効操作手段と設定することを特徴とする請求項２に記載の表示システム。
【発明の詳細な説明】
【技術分野】
【０００１】
本発明は、異なる位置に設置されるマルチメディアに対応するディスプレイ装置に関し、特に車室内の前席及び後席に備えられるディスプレイ装置に関する。
【背景技術】
【０００２】
従来、車載用のディスプレイ装置は車両のインストールパネル部付近に設置されおり、ナビゲーションシステムによる案内表示のみならず、ＤＶＤやテレビ等の映像表示や、タッチパネルを用いたオーディオやエアコンの操作ボタン等の表示を行なうことも可能である。そのような表示が可能であるならば、後席の同乗者も映像表示やボタン操作を行なう要求が出てくる。
【０００３】
そこで、後席の同乗者がインストールパネル部付近に設置された前席用のディスプレイ装置を見たり、操作することは不便であるため、後席にも前席とは別にディスプレイ装置を備え、前席と後席で異なる表示を行なったり、異なる操作を行なえるようにした車載用ディスプレイ装置がある（例えば、特許文献１）。
【特許文献１】特開２００１−１５９８８８号公報（[００４７]〜[００５１]、図３、図７）。
【発明の開示】
【発明が解決しようとする課題】
【０００４】
しかし、上記車載用ディスプレイ装置では、同じ表示を行なっている場合に、前席と後席による異なる操作を行なうことができない問題がある。また、上記車載用ディスプレイ装置では、前席用と後席用に夫々描画部を設ける必要があるため、部品点数が増加するという問題もある。
【０００５】
本発明は、上記問題点に鑑みたもので、異なる位置に設置される複数の表示装置を備え、それらの表示装置で同じ表示を行なっている場合であっても、異なる表示装置に備えられた操作手段からの別々の操作に対応可能な表示システムを提供することを目的とする。
【課題を解決するための手段】
【０００６】
上記目的を達成するために、請求項１に記載の発明では、第一の表示装置と第二の表示装置とが異なる場所へ設置され、それら第一の表示装置と第二の表示装置が夫々、表示の制御操作を可能とする操作手段を有する表示システムにおいて、第一の表示装置に備えられた操作手段の内、操作に対応した機能の実行が有効となる第一の有効操作手段と第二の表示装置に備えられた操作手段の内、操作に対応した機能の実行が有効となる第二の有効操作手段とを設定手段により設定し、有効判定手段にて、操作手段から操作があった際に第一の有効操作手段若しくは第二の有効操作手段からの操作であったか否かを判定し、第一の有効操作手段若しくは第二の有効操作手段からの操作であったと判定した場合に、制御手段によってその操作に対応する機能を実行することを特徴とする。
【０００７】
即ち、第一の表示装置からの操作が第一の有効操作手段以外からのものであった場合や、第二の表示装置からの操作が第二の有効操作手段以外からのものであった場合には、操作は無効となり、機能の実行はしない。よって、異なる位置に設置された複数の表示装置で同じ表示を行なっている場合であっても、有効操作手段を夫々の表示装置に対し設定することにより、異なる表示装置に備えられた操作手段からの別々の操作への対応を可能とする。
【０００８】
また、請求項２に記載の発明では、請求項１に記載の発明における操作手段は第一の表示装置及び第二の表示装置の画面上に備えられることを特徴とするため、複数の表示装置で同じ表示を行なっている際に、タッチパネル等の画面上における異なる操作にも対応することが可能となる。
【０００９】
そして、請求項３に記載の発明によれば、設定手段は第一の有効操作手段及び第二の有効操作手段を操作手段により実行される機能の種類に応じて設定することを特徴とするため、例えば、第一の有効操作手段として、地図の拡大表示を行なう制御操作を設定し、第二の有効操作手段として、ＤＶＤのメニュー操作を設定することが可能となる。これにより、第一の表示装置で行なえる操作と第二の表示装置で行なえる操作を別々に設定することが可能となるため、異なる位置に設置された複数の表示装置で同じ表示を行なっている場合であっても、異なる表示装置での別々の操作に対応することが可能となる。尚、制御操作を設定する場合に、実行される操作の割り当てられたスイッチ等を有効操作手段として、設定可能とすることにより、制御操作を有効操作手段として設定可能とする。
【００１０】
更に、請求項４に記載の発明では、請求項２に記載の発明において、設定手段は表示装置の画面を分割し、一方の領域に存在する操作手段を第一の有効操作手段、他方の領域に存在する操作手段を第二の有効操作手段と設定することを特徴とする。これにより、利用者が画面上のどの範囲で操作が有効なのか把握し易くなる。
【発明を実施するための最良の形態】
【００１１】
（第一実施形態）
以下、本発明を車載用のナビゲーション装置に適用した一実施形態について、図１乃至図３を参照しながら説明する。図１は本実施形態に係るナビゲーション装置の構成を示す構成図である。ナビゲーション装置は、位置検出器１、ＴＶ／ラジオ受信機２、メディアプレーヤ３、地図データ記憶装置４、外部メモリ５、制御回路６、前席用表示装置７、前席用操作スイッチ群８、スピーカ９、後席用表示装置１０、後席用操作スイッチ群１１より構成されている。位置検出器１は何れも周知の地磁気センサ、ジャイロスコープ、距離センサ、及び衛星からの電波に基づいて車両の位置を検出するＧＰＳ（Ｇｌｏｂａｌ  Ｐｏｓｉｔｉｏｎｉｎｇ  Ｓｙｓｔｅｍ）のためのＧＰＳ受信機等を有して構成される。これらのセンサ等は各々が性質の異なる誤差を持っているため、複数のセンサにより各々補間しながら使用するように構成されている。尚、精度によっては上述した内の一部で構成してもよく、さらにステアリングの回転センサ、各転動輪の車輪センサ等を用いてもよい。位置検出器１によって、従来のナビゲーション装置と同様に表示装置に現在位置を示す車両現在位置マークを付加して表示することが可能となる。
【００１２】
ＴＶ／ラジオ受信機２は、テレビ放送やラジオ放送等の電波放送を受信するものであり、アンテナ、音声検波回路、映像検波回路等を有して構成され、前席用表示装置７、後席用表示装置１０、スピーカ９への出力を可能とする。メディアプレーヤ３は、カセット、ＣＤ、ＭＤ、ＤＶＤ等の各種メディアに格納されるデータを再生可能とするプレーヤーであり、従来と同様に構成される。
【００１３】
地図データ記憶装置４は、位置検出の精度向上のためのマップマッチング用データ、地図データ及び目印データを含む各種地図を表示するためのデータを格納し、必要に応じて制御回路６にそれらのデータを入力する装置である。そして、外部メモリ５は、ＨＤＤ（ハードディスクドライブ）やフラッシュＲＯＭ等の書き込み可能な記憶装置により構成され、制御回路６内のＲＡＭ等では記憶できない大量のデータや電源をＯＦＦしても消去してはいけないデータを記憶したり、頻繁に使用するデータを地図データ記憶装置４からコピーして利用する等の用途がある。
【００１４】
制御回路６（本発明における制御手段に相当する。）はコンピュータ手段を有して構成されるものであり、内部には周知のＣＰＵ、ＲＯＭ、ＲＡＭ、Ｉ／Ｏ及びこれらの構成を接続するバスラインが備えられている。制御回路６で処理された情報は、前席用表示装置７、後席用表示装置１０、スピーカ９等の出力装置により利用者へ報知される。尚、本発明に係る表示操作処理を実行するためのプログラムは制御回路６内のＲＯＭに格納されるものとする。
【００１５】
前席用表示装置７及び後席用表示装置１０は液晶表示装置やＣＲＴ表示装置等を用いることができ、本発明における第一の表示装置或いは第二の表示装置に相当する機能を有する。そして、従来と同様に構成されるスピーカ９と合わせ、地図データ記憶装置４と位置検出器１からの情報を基に地図や車両現在位置マークや案内経路を報知したり、ＴＶ／ラジオ受信機２により受信した放送の出力、メディアプレーヤ３によるメディアの再生を可能とする。尚、前席用表示装置７はインストールパネル部付近に設置されており、後席用表示装置１０は前席のヘッドレスト後部やセンターコンソールボックス上部等の後席の乗員が視聴し、操作可能な場所へ設置される。前席用操作スイッチ群８は、前席用表示装置７と一体になったタッチスイッチやメカニカルなスイッチ等によって構成され、後席用操作スイッチ群１１も同様に後席表示装置１０と一体になったタッチスイッチやメカニカルなスイッチ等によって構成される。尚、前席用操作スイッチ群８及び後席用操作スイッチ群１１は本発明における操作手段に相当する機能を有する。
【００１６】
上記構成において、本実施の形態におけるナビゲーション装置では、表示装置と一体になったタッチスイッチの操作を有効とする操作有効範囲を前席用表示装置７と後席用表示装置１０とで別々に設けることにより、前席の乗員からの操作と後席の乗員からの操作を区別し、前席と後席の異なる操作に対応する。このような操作制御に係る制御回路６内の動作を中心に図２を用いて説明する。尚、本実施形態における操作有効範囲内に存在するタッチスイッチが本発明における第一の有効操作手段又は第二の有効操作手段に相当する。
【００１７】
図２において、ステップ（以下Ｓと略す。）２００では、前席の操作有効範囲と後席の操作有効範囲を設定する。操作有効範囲の設定は、利用者によりメニュー等のユーザーインターフェースを利用し、設定可能としてもよく、予めナビゲーション装置で設定されているものであってもよい。また、操作有効範囲は図３ａに示すように表示画面を２分割し、左右をそれぞれ前席用操作画面３１と後席用操作画面３２に分けたり、図３ｂに示すように操作スイッチの種類（例えば、目的地設定やＤＶＤ操作スイッチ等）によって前席用の操作スイッチ３３、後席用の操作スイッチ３４として設定可能とする。
【００１８】
Ｓ２０１では、操作が行われたか否かを判定する。Ｓ２０１の判定は、操作が行われたと判定するまで繰り返し行われ、操作が行われたと判定した場合（Ｓ２０１：ＹＥＳ）、Ｓ２０２へ移行する。Ｓ２０２では、行われた操作が前席からの操作であったか否かを判定する。前席からの操作であったか否かは、検出した操作信号が前席用表示装置７からの入力信号であるか否かの判定をもって判定する。即ち、検出した操作信号が前席用表示装置７からの入力信号であった場合、前席からの操作であったと判定する。
【００１９】
前席からの操作であったと判定した場合（Ｓ２０２：ＹＥＳ）、Ｓ２０３にて行われた操作が操作有効範囲内のものであったか否かを判定する。ここでの判定は、Ｓ２００で設定された情報を基に行われる。行われた操作が操作有効範囲内のものであると判定されると（Ｓ２０３：ＹＥＳ）、Ｓ２０４へ移行し、前席の操作に応じた処理を実行する。一方、行われた操作が操作有効範囲外のものであると判定した場合（Ｓ２０３：ＮＯ）、前席用表示装置７やスピーカ９により操作が無効であることを報知する（Ｓ２０５）。
【００２０】
Ｓ２０２にて、行われた操作が前席からの操作でないと判定した場合（Ｓ２０２：ＮＯ）、Ｓ２０６へ移行し、行われた操作が後席からの操作であったか否かを判定する。後席からの操作であったか否かは、検出した操作信号が後席用表示装置１０からの入力信号であるか否かの判定をもって判定する。即ち、検出した操作信号が後席用表示装置１０からの入力信号であった場合、後席からの操作であったと判定する。検出した操作信号が後席用表示装置１０からの入力信号ではない場合、リモートコントロール端末（以下リモコンと呼ぶ。）等からの入力であると考えられ、後席からの操作ではないと判定する。
【００２１】
Ｓ２０６で後席からの操作ではないと判定した場合（Ｓ２０６：ＮＯ）、Ｓ２０１へ移行する。そして、後席からの操作であったと判定した場合には（Ｓ２０６：ＹＥＳ）、Ｓ２０７へ移行し、行われた操作が操作有効範囲内のものであったか否かを判定する。ここでの判定は、Ｓ２０３同様、Ｓ２００で設定された情報を基に行われる。行われた操作が操作有効範囲内のものであると判定すると（Ｓ２０７：ＹＥＳ）、Ｓ２０８にて後席の操作に応じた処理を実行する。一方、行われた操作が操作有効範囲外のものであると判定した場合（Ｓ２０７：ＮＯ）、後席用表示装置１０やスピーカ９により操作が無効であることを報知する（Ｓ２０９）。尚、Ｓ２０４、Ｓ２０５、Ｓ２０８、Ｓ２０９にて所定の処理を行なった後は、Ｓ２０１へ移行し、上記処理を繰り返す。尚、Ｓ２００は本発明における設定手段に、Ｓ２０３及びＳ２０７は本発明における有効判定手段に相当する処理を実行するものである。
【００２２】
以上、本実施の形態のナビゲーション装置によれば、表示装置と一体になったタッチスイッチの操作有効範囲を前席用表示装置７と後席用表示装置１０とで別々に設定することにより、前席の乗員からの操作と後席の乗員からの操作を区別し、前席と後席の異なる操作に対応することが可能となる。よって、前後のディスプレイ装置で同じ表示を行なっている場合であっても、前席や後席からの異なる操作への対応を可能とする。
【００２３】
尚、本実施形態では、前席用表示装置７と後席用表示装置１０の操作有効範囲を別々のものとしたが、両者が操作可能な操作有効範囲を設けてもよい。また、前席用表示装置７や後席用表示装置１０と一体となっているメカニカルなスイッチも同様な制御により、前席からと後席からの異なる操作に対応した処理を実行可能とする。
【００２４】
そして、従来のナビゲーション装置と同様に走行中には前席からの複雑な操作に制限をかける走行強制を行なうものとする。
【００２５】
尚、上記した実施形態では、車両に搭載されたナビゲーション装置に本発明を適応した例を挙げて説明したが、ナビゲーション装置に限らず、電車や飛行機等の座席に設けられたディスプレイ装置や異なる表示画面を用いたゲーム装置等においても同様に適応することができる。
【図面の簡単な説明】
【００２６】
【図１】本発明の一実施形態に係るナビゲーション装置の構成図である。
【図２】本発明の一実施形態に係る操作制御のフローチャートを示す図である。
【図３】本発明の一実施形態に係る操作有効範囲の設定例を示す図である。
【符号の説明】
【００２７】
１・・・位置検出器
２・・・ＴＶ／ラジオ受信機
３・・・メディアプレーヤ
４・・・地図データ記憶装置
５・・・外部メモリ
６・・・制御回路
７・・・前席用表示装置
８・・・前席用操作スイッチ群
９・・・スピーカ
１０・・・後席用表示装置
１１・・・後席用操作スイッチ群
【図１】
2005186644.tif 000003
【図２】
2005186644.tif 000004
【図３】
2005186644.tif 000005